(57)【要約】【課題】従来の盾は、防護板の裏面に把手を設けたのみであるので、表面に粘着剤を付着することで、暴漢や犯人の身体に接着させて自由を奪うことができる盾を提供する。【解決手段】板体の裏面に把手３を備えた防護板２の表面に粘着剤４を付着し、該粘着剤４面につまみ片５付き剥離紙６を設けた粘着型の防護盾１とする。【選択図】図１
2006317140.tif 000002
【特許請求の範囲】
【請求項１】
板体の裏面に把手を備えた防護板の表面に粘着剤を付着し、該粘着剤面に剥離紙を設けて成る構成を特徴とする粘着型防護盾。
【請求項２】
上記する防護板の左右に、剥離紙付き粘着剤を付着した補助防護板をヒンジ連結して、一定角度に展開できる請求項１に記載する粘着型防護盾。
【請求項３】
上記する防護板の左右に、剥離紙付き粘着剤を付着した一定の長さの捕縛シ−トを取り付けた端部に軸管を設け、該軸管に引き出し把手を可動係止して成る請求項１に記載する粘着型防護盾。
【発明の詳細な説明】
【技術分野】
【０００１】  本発明は、把手を備えた防護板の表面に強力な粘着剤を施した盾に関する。
【背景技術】
【０００２】  従来より、要人警護や不法デモの警備に加えて、最近は教育機関や金融機関等においても、暴漢や凶器を持った犯人から身を防護したり制圧するための防具を備えているが、そ防具の一つとして、金属製や強化プラスチック等による板体に把手を設けた盾が提供されている。【０００３】  さらに、盾本体の裏面に取っ手を設けた面に開口部を設け、その開口部に催涙スプレ−を設けることで、盾で防護するとともに催涙ガスを噴射して身を守ることができる催涙スプレ−付き盾の技術がある。（例えば、特許文献１参照）
【特許文献１】特開２００４−７７０２６号公報（第３頁−５頁、図１）
【発明の開示】
【発明が解決しようとする課題】
【０００４】  上記するような盾が提供されて、いずれも一定の防護効果は得られる。しかし従来から提供される板体に把手を設けた盾においては、単に板状の防護板の裏面に取っ手を設けた物であるので、投石やこん棒、刃物などの凶器から身を守る防護板としては有効であるが、それ以上、例えば相手の身体の自由を奪ったり拘束できる物では無かった。【０００５】  また特開２００４−７７０２６号公報に開示される技術は、盾本体面に小さな開口部を設けた裏面に催涙スプレ−を位置したうえで、防護板として使用するとともに、必要な時は前記の催涙スプレ−のノズルから催涙ガスを噴射して相手を撃退する盾であるが、このタイプにおいても、防護板とともに催涙ガス噴射による防護や撃退機能はあるが、相手の動きを奪ったり拘束できる盾としては使えないなどの不便や欠点があった。
【課題を解決するための手段】
【０００６】  本発明は上記するような不便や欠点を解消した盾とするために、請求項１においては、板体の裏面に把手を備えた防護板の表面に粘着剤を付着し、該粘着剤面につまみ付き剥離紙を設けた粘着型の防護盾とすることで、使用する際はそのままでも身を守れるが、剥離紙を剥がせば、犯人の衣服や身体に接着させて自由を拘束することができる盾とする。【０００７】  請求項２においては、上記する防護板の左右に、剥離紙付き粘着剤を付着した補助防護板をヒンジ連結することで、保管時は折りたたんでコンパクトにし、使用する際は補助防護板を展開して２倍の大きさの盾として使えるものとする。【０００８】  請求項３においては、上記する防護板の左右に、剥離紙付き粘着剤を付着した一定の長さの捕縛シ−トの端部に軸管を取り付け、該軸管に引き出し把手を可動係止することで、防護板の把手を持つ人以外に、捕縛シ−トを持つ別の二人と合わせた複数人により防護及び拘束できる粘着型の防護盾とする。
【発明の効果】
【０００９】  本発明における防護盾は、防護板の表面に強力な粘着剤を付着した盾であるので、防護用具として使用する時は、粘着剤面に付いている剥離紙を剥がしてから暴漢や犯人に向けると、従来の盾と同様に投石や凶器から身を守ることができるとともに、その盾の表面を相手の体に強く押し当てると、強力な粘着剤が衣服や身体や凶器に接着することで、身体の自由を奪えるため、従来のような単なる板体による盾に比べてはるかに制圧しやすく、かつ慣れない者でも扱い易いので、一般の家庭に置いても有効な防護盾となる。【００１０】  加えて、実施例２タイプは防護板の左右に展開できる補助防護板を備えているので、保管時は小さくても、使用する際は２倍の大きさに展開して防護することができる機能性がある。さらに実施例３タイプは、防護板の左右に強力な粘着剤を付着した一定の長さの捕縛シ−トをロ−ル巻きしたものであり、使用する際は防護板の把手を持つ人以外に、別の二人が前記した捕縛シ−トの引き出し把手を引っ張って展開したうえで、防護板とともにそれぞれの剥離紙を剥がして犯人に向ければ、その大きさで相手を圧倒するとともに、防護板を相手に接着させながら左右の捕縛シ−トを巻き付けるように接着させると、身の安全の防護のみならず犯人の動きを制限して容易に拘束できる、従来には見られない防護と拘束機能を合わせ持つ防護盾を提供する。
【発明を実施するための最良の形態】
【００１１】  凶悪犯人や暴漢から身を守るだけでなく、相手の身体の自由を奪い、かつ拘束できる防具とするため、防護板の表面に強力な粘着剤を付着した盾とする。
【実施例１】
【００１２】  本発明の実施例１の防護盾を、図１に示す一部剥離した斜視図と図２に示す裏面図で説明する。実施例１の防護盾１を形成する本体は、アルミ金属製などによる軽い素材で成る板体とし、その板体で成る防護板２の裏面に把手３を備え、かつ表面全体には強力な粘着剤４を付着した面に、つまみ片５付き剥離紙６を取り付けて成る粘着型の防護盾１を構成する。【００１３】  実施例１の防護盾１は、裏面に把手３を設け、かつ表面には剥離紙６付き粘着剤４を付着した防護盾１を構成するので、使用する際はつまみ片５を持って剥離紙６を引き剥すと、表面全体に粘着剤４を有する盾となるので、暴漢による凶器を防ぐとともに、強く押し付ければ暴漢の衣服や身体に強力に接着して動きを制限することができる。
【実施例２】
【００１４】  実施例２の防護盾を、図３に示す一部剥離した斜視図と図４に示す拡大平面図、図５に示すヒンジ部の拡大平面図で説明する。実施例２における防護盾１は、把手３を設けた矩形状の防護板２の左右に、前記防護板２の半分の幅の補助防護板７，７をヒンジ８により開閉自在に連結して成る防護板２及び補助防護板７，７それぞれの表面に、つまみ片５付き剥離紙６を備えた粘着剤４を付着して成る防護盾１とするが、前記のヒンジ８部には、防護板２及び補助防護板７の合わせ目側端部に係止突部９，９を設けて、補助防護板７，７が一定角度で係止できる粘着型の防護盾１を構成する。【００１５】  実施例２の防護盾１は、把手３を設けた防護板２の両サイドに、一定角度に展開できる補助防護板７をヒンジ連結しているので、保管時は内側に折たたんでコンパクトであるが、使用う際に展開すると、補助防護板７の係止突部９は防護板２の係止突部９で止められて略直線状になるので、接着面を約２倍の幅に広げて使える防護盾１となる。
【実施例３】
【００１６】  実施例３の防護盾を、図６に示す展開状態の斜視図と図７の収納状態を示す平面図で説明する。本実施例における防護盾１は、防護板２の両サイドに、一定の長さで、かつ強靭なシ−ト面に粘着剤４を付着した捕縛シ−ト１０を取り付けた端部に軸管１１，１１を取り付け、その軸管１１，１１に、略Ｃの字状の引き出し把手１２，１２を可動係止して成る前記粘着剤４面に、つまみ片５付き剥離紙６を設けた粘着型防護盾１を構成する。尚、保管時は捕縛シ−ト１０，１０は巻き取られたうえで、バネ素材によるＵ字形のクリップ１３，１３により保持されている。【００１７】  実施例３の防護盾１は、防護板２の両サイドに粘着剤４を付着した一定の長さの捕縛シ−ト１０をロ−ル巻きしてクリップ１４留めしているので、通常はコンパクトであるが、クリップ１１を取り外して後に引き出し把手１２を左右に引っ張ると、防護盾１の約３倍〜４倍の幅に展開できる。使用する際は、捕縛シ−ト１０、１０の引き出し把手１２，１２を別の二人が持って引き出した後に、防護板２の把手３を持つ人とともに犯人に押し当てると、巻き付くように接着させて拘束できる防護盾１である。【００１８】  本発明による防護盾１において、防護板２や補助防護板７の粘着剤４面の剥離紙６は、剥がし易いようにつまみ片５を設けているが、防護板２や補助防護板７の端部に凹み状の欠損部を設ける方法でもよい。さらに実施例３タイプの捕縛シ−ト１０は、保管時はバラけないように巻き込んでクリップ１３留めされているが無くても差し支えない。さらに捕縛シ−ト１０の裏面を剥離処理することで、クリップが無くても両面テ−プのように巻き付ける手段でも構わないものであり、いずれも特に限定されるものではない。
【図面の簡単な説明】
【００１９】
【図１】本発明による実施例１の防護盾を示す一部剥離した斜視図である。
【図２】実施例１の防護盾の裏面を示す斜視図である。
【図３】実施例２の防護盾を示す一部剥離した斜視図である。
【図４】実施例２の防護盾を示す平面である。
【図５】実施例２の防護盾の補助防護板のヒンジ部を示す拡大平面図である。
【図６】実施例３の防護盾を示す一部剥離した展開斜視図である。
【図７】実施例３の防護盾の捕縛シ−トをクリップ留めした平面図である。
【符号の説明】
【００２０】  １  防護盾
２  防護板
３  把手
４  粘着剤
５  つまみ片
６  剥離紙
７  補助防護板
８  ヒンジ
９  係止突部
１０  捕縛シ−ト
１１  軸管
１２  引き出し把手
１３  クリップ
【図１】
2006317140.tif 000003
【図２】
2006317140.tif 000004
【図３】
2006317140.tif 000005
【図４】
2006317140.tif 000006
【図５】
2006317140.tif 000007
【図６】
2006317140.tif 000008
【図７】
2006317140.tif 000009